(57)【要約】【課題】樹脂製パネルの軽量化、耐衝撃性を向上させた樹脂製パネルを得る。【解決手段】本開示の一態様にかかる樹脂製パネル（1）は、裏壁（3）と、裏壁（3）と間隔をおいて対向する表壁（2）と、を有する樹脂製パネル（1）であって、押出装置から押し出された裏壁（3）を構成する溶融状態の第１の溶融樹脂と、表壁（2）を構成する溶融状態の第２の溶融樹脂と、を分割金型で型締めすることで、裏壁（3）と、表壁（2）と、を構成し、第２の溶融樹脂は、第１の溶融樹脂よりも耐衝撃性の高い材料で構成し、表壁（2）は、裏壁（3）よりも耐衝撃性の高い材料で構成する。【選択図】図１
2015051582.tif 000002
【特許請求の範囲】
【請求項１】
裏壁と、前記裏壁と間隔をおいて対向する表壁と、を有する樹脂製パネルであって、
押出装置から押し出された前記裏壁を構成する溶融状態の第１の溶融樹脂と、前記表壁を構成する溶融状態の第２の溶融樹脂と、を分割金型で型締めすることで、前記裏壁と、前記表壁と、を構成し、前記第２の溶融樹脂は、前記第１の溶融樹脂よりも耐衝撃性の高い材料で構成し、前記表壁は、前記裏壁よりも耐衝撃性の高い材料で構成する、ことを特徴とする樹脂製パネル。
【請求項２】
前記第２の溶融樹脂は、長繊維のフィラーを含んで構成し、
前記第１の溶融樹脂は、前記長繊維のフィラーよりも短い繊維長のフィラーを含んで構成する、ことを特徴とする請求項１記載の樹脂製パネル。
【請求項３】
前記短い繊維長のフィラーは、前記長繊維のフィラーを粉砕したものを含む、ことを特徴とする請求項２記載の樹脂製パネル。
【請求項４】
前記第１の溶融樹脂は、前記第１の溶融樹脂と、前記第２の溶融樹脂と、を前記分割金型で型締めして得られるバリを粉砕した粉砕材を含んで構成する、ことを特徴とする請求項１から請求項３の何れか１項に記載の樹脂製パネル。
【請求項５】
前記第１の溶融樹脂は、前記粉砕材を前記第２の溶融樹脂よりも多く含んで構成する、ことを特徴とする請求項４記載の樹脂製パネル。
【請求項６】
裏壁と、前記裏壁と間隔をおいて対向する表壁と、を有する樹脂製パネルを、一対の分割金型を用いて成形する成形方法であって、
押出装置から押し出された前記裏壁を構成する溶融状態の第１の溶融樹脂と、前記表壁を構成する溶融状態の第２の溶融樹脂と、を一対の分割金型間に垂下させる垂下工程と、
前記第１の溶融樹脂と前記第２の溶融樹脂とを前記分割金型のキャビティ面に吸引し、前記第１の溶融樹脂と前記第２の溶融樹脂とを前記キャビティに沿った形状に賦形する賦形工程と、
前記分割金型を型締めし、前記樹脂製パネルを成形する成形工程と、を有し、
前記第２の溶融樹脂は、前記第１の溶融樹脂よりも耐衝撃性の高い材料で構成する、ことを特徴とする成形方法。
【請求項７】
前記分割金型を型締めして得られるバリを粉砕して粉砕材を形成する粉砕工程を有し、
前記垂下工程は、前記粉砕材を含んだ前記第１の溶融樹脂を前記押出装置から押し出す、ことを特徴とする請求項６記載の成形方法。
【発明の詳細な説明】
【技術分野】
【０００１】
本発明は、車両の荷室に設置されるパッケージトレイ、デッキボード、フロアボード等の樹脂製パネルに関する。
【背景技術】
【０００２】
本出願人が出願した技術文献として、円筒形状の溶融樹脂をブロー成形し、表皮付パネルを成形する技術について開示された文献がある（例えば、特許文献１：特開平10−235720号公報参照）。
【０００３】
上記特許文献１では、ブロー成形時のブロー圧で一方の壁部の外面に表皮材を熱溶着し、他方の壁部に上記一方の壁部の内面に接するまで突出させたインナーリブを形成し、表皮付パネルを成形することにしている。
【先行技術文献】
【特許文献】
【０００４】
【特許文献１】特開平１０−２３５７２０号公報
【発明の概要】
【発明が解決しようとする課題】
【０００５】
しかし、上記特許文献１のように、円筒形状の溶融樹脂を使用する場合は、インナーリブを形成する部分の溶融樹脂が引き伸ばされるため、ピンホールが発生しないように、円筒形状の溶融樹脂の肉厚を厚くする必要がある。その結果、最終的に成形される表皮付パネルの重量が重くなってしまう問題がある。このため、上記特許文献１のように、円筒形状の溶融樹脂を用いた場合は、最終的に成形される樹脂製パネルの軽量化を図ることが困難な問題がある。
【０００６】
通常、円筒形状の溶融樹脂（円筒パリソン）の厚み（肉厚）は均一になる。また、分割金型を型締めした際に、円筒パリソンを分割金型に押し付ける押圧力は、円筒パリソンの全面に亘って一様になる。このため、インナーリブ等のリブを形成する一方の分割金型に押圧されるパリソンは、そのリブに応じたブロー比との関係でパリソンが引き伸ばされ、局所的な薄肉部が生じることになる。また、他方の分割金型ではリブを形成しないため、薄肉部が生じないことになる。その結果、円筒パリソンの厚みは、リブを形成する一方の分割金型側で発生する薄肉部に合わせて設定する必要があり、それにより、他方の分割金型側では、余分な厚みが発生することになる。従って、必然的に肉厚が均一である円筒パリソンを使用する場合は、ブロー成形後にリブが形成される壁部の肉厚よりもリブが形成されない壁部の肉厚の方が厚くなり、最終的に成形される樹脂製パネルの軽量化を図ることが困難な問題がある。
【０００７】
また、円筒形状の溶融樹脂を使用する場合は、一方の壁部と他方の壁部とが同じ材料の溶融樹脂で構成することになる。このため、一方の壁部と他方の壁部とを構成する樹脂の材料だけで部分的に耐衝撃性を向上させることが困難な問題もある。
【０００８】
本開示の目的は、樹脂製パネルの軽量化、耐衝撃性を向上させた樹脂製パネルを得ることにある。
【課題を解決するための手段】
【０００９】
本開示の一態様にかかる樹脂製パネルは、
裏壁と、前記裏壁と間隔をおいて対向する表壁と、を有する樹脂製パネルであって、
押出装置から押し出された前記裏壁を構成する溶融状態の第１の溶融樹脂と、前記表壁を構成する溶融状態の第２の溶融樹脂と、を分割金型で型締めすることで、前記裏壁と、前記表壁と、を構成し、前記第２の溶融樹脂は、前記第１の溶融樹脂よりも耐衝撃性の高い材料で構成し、前記表壁は、前記裏壁よりも耐衝撃性の高い材料で構成する、ことを特徴とする。
【発明の効果】
【００１０】
本発明によれば、樹脂製パネルの軽量化、耐衝撃性を向上させた樹脂製パネルを得ることができる。
【図面の簡単な説明】
【００１１】
【図１】本実施形態の樹脂製パネル1の構成例を示す図であり、（a）は、樹脂製パネル1の全体斜視図であり、（b）は、（a）に示す樹脂製パネル1の上面図であり、（c）は、（a）,（b）に示すA-A'断面図であり、（d）は、（a）,（b）に示すB-B'断面図である。
【図２】本実施形態の樹脂製パネル1を成形する成形装置の構成例を示す図である。
【図３】樹脂製パネル1の成形工程例を示す第１の図である。
【図４】樹脂製パネル1の成形工程例を示す第２の図である。
【図５】樹脂製パネル1の成形工程例を示す第３の図である。
【図６】樹脂製パネル1の成形工程例を示す第４の図である。
【図７】樹脂製パネル1の成形工程例を示す第５の図である。
【図８】樹脂製パネル1の成形工程例を示す第６の図である。
【図９】樹脂製パネル1の成形工程例を示す第７の図である。
【図１０】樹脂製パネル1の成形工程例を示す第８の図である。
【図１１】本実施形態の樹脂製パネル1の他の構成例を示す図であり、（a）は、樹脂製パネル1の全体斜視図であり、（b）は、（a）に示すF-F'断面図であり、（c）は、（a）に示すE-E'断面図である。
【発明を実施するための形態】
【００１２】
＜本開示の一態様にかかる樹脂製パネル1の概要＞
まず、図１、図２、図８、図９を参照しながら、本開示の一態様にかかる樹脂製パネル1の概要について説明する。図１は、本開示の一態様にかかる樹脂製パネル1の構成例を示し、図２は、図１に示す樹脂製パネル1を成形する成形装置の構成例を示し、図８、図９は、樹脂製パネル1の成形工程の一部を示す。
【００１３】
本開示の一態様にかかる樹脂製パネル1は、図１に示すように、裏壁3と、裏壁3と間隔をおいて対向する表壁2と、を有する樹脂製パネル1である。
【００１４】
本開示の一態様にかかる樹脂製パネル1は、例えば、図２に示す押出装置12から押し出された裏壁3を構成する溶融状態の第１の溶融樹脂P1と、表壁2を構成する溶融状態の第２の溶融樹脂P2と、を分割金型32で型締めすることで、裏壁3と、表壁2と、を構成し、第２の溶融樹脂P2は、第１の溶融樹脂P1よりも耐衝撃性の高い材料で構成し、表壁2は、裏壁3よりも耐衝撃性の高い材料で構成する。
【００１５】
本開示の一態様にかかる樹脂製パネル1を成形する場合は、まず、図２に示すように、押出装置12から押し出された裏壁3を構成する溶融状態の第１の溶融樹脂P1と、表壁2を構成する溶融状態の第２の溶融樹脂P2と、を一対の分割金型32間に垂下させる。
【００１６】
次に、図８に示すように、第１の溶融樹脂P1と第２の溶融樹脂P2とを分割金型32のキャビティ116面に吸引し、第１の溶融樹脂P1と第２の溶融樹脂P2とをキャビティ116に沿った形状に賦形する。
【００１７】
次に、図９に示すように、分割金型32を型締めし、樹脂製パネル1を成形する。
【００１８】
本開示の一態様にかかる樹脂製パネル1は、表壁2を構成する第２の溶融樹脂P2は、裏壁3を構成する第１の溶融樹脂P1よりも耐衝撃性の高い材料で構成するため、樹脂製パネル1の軽量化、耐衝撃性を向上させた樹脂製パネル1を得ることができる。以下、添付図面を参照しながら、本開示の一態様にかかる樹脂製パネル1について詳細に説明する。
【００１９】
＜樹脂製パネル1の構成例＞
まず、図１を参照しながら、本実施形態の樹脂製パネル1の構成例について説明する。図１は、樹脂製パネル1の構成例を示す図であり、図１（a）は、樹脂製パネル1の全体斜視図であり、図１（b）は、図１（a）に示す樹脂製パネル1の上面図であり、図１（c）は、図１（a）,（b）に示す樹脂製パネル1のA-A'断面図であり、図１（d）は、図１（a）,（b）に示す樹脂製パネル1のB-B'断面図である。
【００２０】
本実施形態の樹脂製パネル1は、図１（a）に示すように、表壁2と裏壁3と周囲壁4と補強材ユニット5とを有して構成する。本実施形態の樹脂製パネル1は、図１（c）,（d）に示すように、表壁2と裏壁3とが所定の間隔をおいて対向し、表壁2と裏壁3との周囲を周囲壁4で繋いでいる。また、表壁2と裏壁3との間に中空部6を有し、補強材ユニット5は、表壁2と裏壁3との間に配置している。
【００２１】
また、本実施形態の樹脂製パネル1は、図１（a）に示すように、表壁2の表面に装飾などのための化粧部材7が貼着されており、図１（c）,（d）に示すように、裏壁3、表壁2、化粧部材7で積層構造を構成している。なお、化粧部材7を貼着しないようにすることも可能である。
【００２２】
また、本実施形態の樹脂製パネル1は、裏壁3の一部を表壁2に向けて窪ませて表壁2の内面に溶着した複数のリブ3aを有して構成し、樹脂製パネル1の剛性および強度を向上させることにしている。本実施形態のリブ3aは、有底であり、リブ3aの底部が表壁2の内面に溶着している。図１では、リブ3aとして、スリットリブを設けた例を示しているが、インナーリブを設けることも可能である。また、リブ3aの数も特に限定せず、樹脂製パネル1の形状に応じて任意の数のリブ3aを設けることが可能である。
【００２３】
リブ3aの形状としては、例えば、図１（b）に示すように、裏壁3の外表面においてリブ3aの形状に長手部分3a1と短手部分3a2とを有する形状であれば、任意の形状で構成することが可能である。例えば、直線形状、曲線形状、長方形状、楕円形状などの長手部分と短手部分とを有する形状で構成することが可能である。図１（b）においてリブ3aの短手部分3a2は、B-B'の方向である。B-B'の方向は、裏壁3、表壁2を構成する樹脂の流れ方向である。図１（b）においてリブ3aの長手部分3a1は、A-A'の方向である。A-A'の方向は、樹脂の流れ方向と直交する方向である。
【００２４】
本実施形態の樹脂製パネル1は、リブ3aの長手部分3a1が樹脂の流れ方向B-B'と直交する方向に形成されている。このため、反りの発生のない樹脂製パネル1を得ることができる。なお、リブ3aの長手部分3a1が樹脂の流れ方向B-B'と平行な方向に形成されている場合は、反りの発生がある樹脂製パネル1を得ることになる。図１に示す樹脂製パネル1は、樹脂の流れ方向B-B'と直交する方向A-A'に２つのリブ3aを離間して設けている。なお、樹脂の流れ方向B-B'と直交する方向A-A'に離間して設けるリブ3aの数は、特に限定せず、任意の数のリブ3aを配置することが可能である。
【００２５】
また、本実施形態の樹脂製パネル1は、裏壁3に当接面31を有している。当接面31は、例えば、自動車内の別部材上に樹脂製パネル1を載置する際にその別部材と接する部分であり、この当接面31が別部材と当接し、樹脂製パネル1を別部材上に載置する。このため、当接面31を掛け渡すように補強材ユニット5を配置することで、樹脂製パネル1の強度を向上させることができる。また、補強材ユニット5の長手方向と直交する方向に対する強度を向上させることができる。なお、当接面31の形状や位置は、図１（a）,（b）に示す平坦形状や位置に限定せず、樹脂製パネル1を別部材上に載置する際の樹脂製パネル1と別部材との当接関係に応じて任意に変更することが可能である。例えば、図１の樹脂製パネル1は、補強材ユニット5を配置しているが、補強材ユニット5を配置しない構成もある。この場合は、リブ3aの長手方向の延長線上に当接面31を有するように構成する。これにより、樹脂製パネル1の強度を向上させることができる。
【００２６】
本実施形態の樹脂製パネル1は、樹脂製パネル1の軽量化を図りつつ、当接面31を有する裏壁3に複数のリブ3aを形成している。このため、裏壁3の当接面31を変形し難く割れ難くするために、裏壁3の平均肉厚を1.1mm以上1.7mm以下の範囲で構成している。また、表壁2は、裏壁3のようにリブ3aを形成しないため、表壁2の平均肉厚を0.7mm以上1.2mm以下の範囲で構成している。これにより、樹脂製パネル1の軽量化を図ると共に、他部材と当接する裏壁3の当接面31が変形し難く割れ難い樹脂製パネル1を得ることができる。
【００２７】
例えば、裏壁3の平均肉厚を1.1mm未満で構成すると、リブ3aが形成される部分は更に薄肉になるため、ピンホールが発生し易くなったり、また、当接面31が変形し易くなったり割れ易くなったりしてしまう。このため、裏壁3の平均肉厚を1.1mm以上で構成している。また、裏壁3の平均肉厚を1.7mmより厚く構成すると、無駄に厚くなり、樹脂製パネル1の軽量化を図ることが困難になる。また、裏壁3と表壁2との肉厚差が大きくなり、裏壁3と表壁2との間の距離が変化し、当接面31が変形し易くなってしまう。このため、裏壁3の平均肉厚を1.1mm以上1.7mm以下の範囲で構成している。また、表壁2も裏壁3とほぼ同様な理由で表壁2の平均肉厚を0.7mm以上1.2mm以下の範囲で構成している。これにより、樹脂製パネル1の軽量化を図ると共に、他部材と当接する裏壁3の当接面31が変形し難く割れ難い樹脂製パネル1を得ることができる。なお、本実施形態の樹脂製パネル1は、裏壁3の平均肉厚を1.1mm以上1.7mm以下の範囲で構成し、表壁2の平均肉厚を0.7mm以上1.2mm以下の範囲で構成することで、化粧部材7がない状態での成形品重量を2.5〜4.2kg/m2にし、樹脂製パネル1の軽量化を図ることを可能にすると共に、裏壁3の当接面31を変形し難く割れ難くさせることを可能にしている。但し、成形品重量は、表壁2が裏壁3よりも軽くなっている。
【００２８】
なお、本実施形態において、表壁2、裏壁3の平均肉厚とは、表壁2および裏壁3の長手方向に沿って略等間隔に設定された少なくとも10箇所（但し、リブ3aが形成されていない図１（b）に示すa1〜a10の10箇所）で測定された肉厚の平均値を意味する。例えば、図１に示す樹脂製パネル1の構成例の場合は、図１（b）に示すように、表壁2においてリブ3aが設けられていない各部位a1〜a10の10箇所で測定された肉厚の平均値である。裏壁3は、表壁2で測定した各部位a1〜a10と対向する位置の各部位で測定された肉厚の平均値である。
【００２９】
また、表壁2を構成する樹脂シートP2は、剛性を確保しつつ、強い衝撃に耐えるようにするために、裏壁3を構成する樹脂シートP1よりも耐衝撃性の高い樹脂材料で構成する。表壁2を構成する樹脂シートP2は、例えば、ポリエチレン樹脂、ポリプロピレン樹脂、エチレン−酢酸ビニル共重合体、塩化ビニル樹脂、ABS樹脂（アクリロニトリル−スチレン−ブタジエン樹脂）、ポリアミド樹脂、ポリスチレン樹脂、ポリエステル樹脂、ポリカーボネート樹脂、変性ポリフェニレンエーテル等の樹脂、または、これらをブレンドした混合樹脂に対して、長繊維の繊維状のフィラーを混合した材料を用いる。長繊維の繊維状のフィラーは、繊維長3〜12mmのフィラーを意味する。この種のフィラーとしては、繊維長3〜12mmの長繊維のガラス繊維があげられる。なお、表壁2を構成する樹脂シートP2は、樹脂製パネル1を成形する際に発生するバリを粉砕した粉砕材を用いて構成することも可能である。バリは、表壁2を構成する樹脂シートP2と裏壁3を構成する樹脂シートP1とを分別して使用しても良いが分別することなく使用してもよい。分別して使用する場合は、表壁2を構成する樹脂シートP2のバリを使用する。表壁2を構成する樹脂シートP2として好適な材料としては、例えば、ポリプロピレン樹脂＋長繊維（繊維長3〜12mm）のガラス繊維30％＋エラストマで構成したバージン材に対して粉砕材を50％混合した材料があげられる。バージン材を用いることで、長繊維の繊維長のフィラーの含有を確保することができる。
【００３０】
また、裏壁3を構成する樹脂シートP1は、剛性を確保しつつ、リブ3aを形成するために必要な成形性を得るために、表壁2を構成する樹脂シートP2よりも成形性に優れた樹脂材料で構成する。裏壁3を構成する樹脂シートP1は、例えば、上述した樹脂シートP2と同様の樹脂に対して、樹脂シートP2に含まれる長繊維の繊維状のフィラーよりも繊維長の短い繊維状のフィラーを混合した材料を用いる。この種のフィラーとしては、樹脂シートP2に使用する繊維長3〜12mmのガラス繊維を粉砕して繊維長を短くしたガラス繊維や、繊維長0.2〜0.5mmの短繊維のガラス繊維があげられる。なお、裏壁3を構成する樹脂シートP1は、樹脂製パネル1を成形する際に発生するバリを粉砕した粉砕材を用いて構成することも可能である。この場合、樹脂シートP1は、樹脂シートP2よりも多く粉砕材を含んで構成する。バリは、表壁2を構成する樹脂シートP2と裏壁3を構成する樹脂シートP1とを分別することなく使用することができる。裏壁3を構成する樹脂シートP1として好適な材料としては、例えば、粉砕材のみで構成した材料があげられる。樹脂シートP2に含まれる長繊維の繊維状のフィラーは、後述する押出装置12での混練、押出、成形後に発生するバリの粉砕の過程で繊維長が短くなる。このため、樹脂シートP1は、粉砕材のみを用いることができる。樹脂シートP1は、粉砕材のみで構成するのではなく、ポリプロピレン樹脂＋短繊維（繊維長0.2〜0.5mm）のガラス繊維30％＋エラストマで構成したバージン材を添加して構成することも可能である。
【００３１】
なお、表壁2と裏壁3とは、ドローダウン、ネックインなどにより肉厚のバラツキが発生するのを防止する観点から溶融張力の高い樹脂材料を用いることが好ましく、一方で金型への転写性、追従性を良好とするため流動性の高い樹脂材料を用いることが好ましい。
【００３２】
化粧部材7を構成する材料は、公知の材料が適用可能である。例えば、天然繊維、再生繊維、半合成繊維、合成繊維およびこれらのブレンドからなる繊維を加工して得られる編物、織物、不織布、または、ポリ塩化ビニル（PVC）、熱可塑性ポリウレタンエラストマ（TPU）または熱可塑性ポリオレフィンエラストマ（TPO）などの熱可塑性エラストマ（TPE）、ポリエチレンポリオレフィン系樹脂などの熱可塑性樹脂からなる樹脂シートおよびこれらの積層シートから適宜選択可能である。
【００３３】
補強材ユニット5を構成する材料は、公知の材料が適用可能である。例えば、金属製（アルミ等）、あるいは、硬質のプラスチック製が適用可能である。また、補強材ユニット5の形状も図１に示す形状に限定せず、任意の形状で構成することが可能である。例えば、筒形状、C型、コの字型等の形状で構成することも可能である。但し、図１に示す樹脂製パネル1は、裏壁3にリブ3aを形成するため、リブ3aが形成されていない箇所に補強材ユニット5を配置する必要がある。
【００３４】
＜樹脂製パネル1の成形方法例＞
次に、図２〜図１０を参照しながら、本実施形態の樹脂製パネル1の成形方法例について説明する。図２は、樹脂製パネル1を成形する成形装置の構成例を示し、図３〜図１０は、樹脂製パネル1を成形する工程例を示す図であり、図２に示す押出装置12のTダイ28側から樹脂シートPと分割金型32とを見た状態を示す。
【００３５】
本実施形態の樹脂製パネル1は、図２に示す成形装置を用いて成形することができる。図２に示す成形装置は、押出装置12と、型締装置14と、を有し、押出装置12から押し出された溶融状態の樹脂シートP1,P2を型締装置14に送り、型締装置14で樹脂シートP1,P2を型締めし、図１に示す樹脂製パネル1を成形する。樹脂シートP1は、裏壁3を構成し、樹脂シートP2は、表壁2を構成する。図２に示す成形装置は、表壁2を構成する樹脂シートP2と、裏壁3を構成する樹脂シートP1と、を各々異なる材料配合にすることができる。
【００３６】
本実施形態の樹脂製パネル1は、裏壁3にリブ3aが形成されるため、図２〜図１０に示すように、リブ3aを形成するための突出部33が裏壁3側を成形する一方の分割金型32Bのキャビティ116Bに複数設けられている。突出部33は、裏壁3に形成されるリブ3aに応じた形状で構成し、表壁2側を構成する他方の分割金型32Aに向かって突出するようにキャビティ116Bに設けられる。図２に示す突出部33は、図１に示す樹脂製パネル1の長手方向のリブ3aを形成するものであり、図３〜図１０に示す突出部33は、図１に示す樹脂製パネル1の短手方向のリブ3aを形成するものである。
【００３７】
また、本実施形態の樹脂製パネル1は、表壁2よりも裏壁3の肉厚を相対的に厚くして構成するため、表壁2を構成する樹脂シートP2よりも裏壁3を構成する樹脂シートP1の肉厚を厚くしている。以下、本実施形態の樹脂製パネル1の成形方法例について詳細に説明する。
【００３８】
図１に示すように、表壁2の表面に化粧部材7を設ける場合は、図３に示すように、シート状の化粧部材7を、分割金型32Aに設けた仮止ピン（図示せず）により、分割金型32Aのキャビティ116Aを覆うように仮止めする。
【００３９】
次に、図２に示すように、樹脂シートP1,P2を押出装置12のTダイ28から押し出し、その押し出した樹脂シートP1,P2を一対のローラ30を通過させて樹脂シートP1,P2の肉厚を調整し、一対の分割金型32の間に垂下させる。
【００４０】
押出装置12の押出の能力は、成形する樹脂製パネル1の大きさ、樹脂シートP1,P2のドローダウンあるいはネックイン発生防止の観点から適宜選択する。より具体的には、実用的な観点から、間欠押出における１ショットの押出量は好ましくは1〜10kgであり、押出スリットからの樹脂シートP1,P2の押出速度は、数百kg/時以上、より好ましくは、700kg/時以上である。また、樹脂シートP1,P2のドローダウンあるいはネックイン発生防止の観点から、樹脂シートP1,P2の押出工程はなるべく短いのが好ましく、樹脂の種類、MFR値、MT値に依存するが、一般的に、押出工程は40秒以内、より好ましくは、10〜20秒以内に完了するのがよい。このため、押出スリットからの単位面積、単位時間当たりの樹脂シートP1,P2の押出量は、50kg/時cm2以上、より好ましくは、150kg/時cm2以上である。
【００４１】
本実施形態の押出装置12は、表壁2の肉厚が裏壁3の肉厚と略同じ、または、薄肉となるように、また、表壁2が裏壁3よりも軽くなるように、表壁2を構成する第２の溶融樹脂シートP2の肉厚を、裏壁3を構成する第１の溶融樹脂シートP1の肉厚よりも薄肉にして押し出す。例えば、表壁2を構成する樹脂シートP2の肉厚は、最終成形品の樹脂製パネル1の表壁2の平均肉厚が0.7mm以上1.2mm以下の範囲となるように調整する。また、裏壁3を構成する樹脂シートP1は、最終成形品の樹脂製パネル1の裏壁3の平均肉厚が1.1mm以上1.7mm以下の範囲となるように調整する。樹脂シートP1,P2の肉厚は、押出スリットの間隔、ローラ30の間隔、ローラ30の回転速度を調整することで変更することができる。
【００４２】
但し、樹脂シートP1,P2は、ドローダウン、ネックインなどにより肉厚のバラツキが発生することを防止する観点から溶融張力の高い樹脂材料を用いることが好ましく、一方で分割金型32への転写性、追従性を良好とするため流動性の高い樹脂材料を用いることが好ましい。例えば、樹脂シートP1,P2は、エチレン、プロピレン、ブテン、イソプレンペンテン、メチルペンテン等のオレフィン類の単独重合体あるいは共重合体であるポリオレフィン（例えば、ポリプロピレン、高密度ポリエチレン）であって、230℃におけるMFR（JIS K-7210に準じて試験温度230℃、試験荷重2．16kgにて測定）が3．0g/10分以下、さらに好ましくは、0．3〜1.5g/10分のもの、または、アクリロニトリル・ブタジエン・スチレン共重合体、ポリスチレン、高衝撃ポリスチレン（HIPS樹脂）、アクリロニトリル・スチレン共重合体（AS樹脂）等の非晶性樹脂であって、200℃におけるMFR（JIS K-7210に準じて試験温度200℃、試験荷重2．16kgにて測定）が3．0〜60g/10分、さらに好ましくは、30〜50g/10分でかつ、230℃におけるメルトテンション（株式会社東洋精機製作所製メルトテンションテスターを用い、余熱温度230℃、押出速度5．7mm/分で、直径2．095mm、長さ8mmのオリフィスからストランドを押し出し、このストランドを直径50mmのローラに巻取速度100rpmで巻き取ったときの張力を示す）が50mN以上、好ましくは120mN以上のものを用いて形成される。
【００４３】
本実施形態の成形装置は、一対のローラ30の回転により一対のローラ30間に挟み込まれた樹脂シートP1,P2を下方に送り出すことで、樹脂シートP1,P2を延伸薄肉化することが可能であり、樹脂シートP1,P2の押出速度と、樹脂シートP1,P2が一対のローラ30により下方に送り出される送出速度と、の相対速度差を、一対のローラ30の回転速度で調整することで、ドローダウンあるいはネックインの発生を防止することが可能である。このため、樹脂の種類、特に、MFR値およびMT値、あるいは単位時間当たりの押出量に対する制約を小さくすることができる。
【００４４】
本実施形態の成形装置は、樹脂シートP1,P2を分割金型32の間に配置し、枠部材駆動装置（図示せず）により枠部材128を対応する樹脂シートP1,P2に向けて移動し、図４に示すように、枠部材128を樹脂シートP1,P2に当接し、樹脂シートP1,P2を枠部材128で保持する。枠部材128は、開口130を有しており、枠部材128で樹脂シートP1,P2を保持する。
【００４５】
次に、枠部材128を分割金型32に向けて移動し、図５に示すように、分割金型32のピンチオフ部118に樹脂シートP1,P2を当接し、樹脂シートP1,P2、ピンチオフ部118、キャビティ116により密閉空間117を形成する。また、マニピュレータ（図示せず）の吸着盤119で保持された補強材ユニット5（図１参照）を、図５に示すように分割金型32の間に挿入する。なお、図５に示す補強材ユニット5は、図１（c）に示す補強材ユニット5を示す。補強材ユニット5を吸着盤119で保持する位置は特に限定せず、任意の位置で保持することが可能である。
【００４６】
次に、分割金型32Bを通じて密閉空間117B内を吸引し、裏壁3を構成する樹脂シートP1をキャビティ116Bに対して押圧し、図６に示すように、裏壁3を構成する樹脂シートP1をキャビティ116Bの凹凸表面に沿った形状に賦形する。本実施形態の分割金型32Bの内部には、真空吸引室（図示せず）が設けられており、真空吸引室は、吸引穴を介してキャビティ116Bに連通し、真空吸引室から吸引穴を介して吸引することにより、樹脂シートP1をキャビティ116Bに向かって吸着させ、樹脂シートP1をキャビティ116Bの外表面に沿った形状に賦形している。また、キャビティ116Bの外表面に設けた突出部33により、樹脂シートP1の外表面にリブ3aを形成している。これにより、樹脂シートP1に複数のリブ3aが形成される。
【００４７】
また、マニピュレータを分割金型32Bに向けて移動し、図７に示すように、分割金型32Bのキャビティ116Bに吸着された樹脂シートP1に補強材ユニット5を押し付け、補強材ユニット5を樹脂シートP1に貼り付ける。この時、補強材ユニット5の両端が裏壁3の当接面31（図１参照）上に位置するように補強材ユニット5を樹脂シートP1に貼り付ける。
【００４８】
本実施形態の表壁2を構成する樹脂シートP2は、剛性を確保しつつ、強い衝撃に耐えるようにするために、長繊維の繊維状のフィラーを混合した材料を用いる。長繊維の繊維状のフィラーは、繊維長3〜12mmのフィラーを意味する。この種のフィラーとしては、繊維長3〜12mmの長繊維のガラス繊維があげられる。
【００４９】
本実施形態の裏壁3を構成する樹脂シートP1は、剛性を確保しつつ、リブ3aを形成するために必要な成形性を得るために、樹脂シートP1に含まれる長繊維の繊維状のフィラーよりも繊維長の短い繊維状のフィラーを混合した材料を用いる。この種のフィラーとしては、樹脂シートP2に使用する繊維長3〜12mmのガラス繊維を粉砕して繊維長を短くしたガラス繊維や、繊維長0.2〜0.5mmの短繊維のガラス繊維があげられる。
【００５０】
ブロー成形においてフィラーを多く含んだ樹脂を用いると、樹脂の伸びが悪いため、図１に示すようなリブ3aを有する樹脂製パネル1を形成することが困難である。これに対し、本実施形態では、図２に示す成形装置を用いて押出装置12から押し出された溶融状態の樹脂シートP1,P2を分割金型32のキャビティ116面に吸引し、樹脂シートP1,P2をキャビティ116に沿った形状に賦形して樹脂製パネル1を成形している。このため、フィラーを多く含んでいても図１に示すリブ3aを有する樹脂製パネル1を容易に成形することができる。フィラーは、成形樹脂に対して20wt%〜50wt%、好ましくは、25〜40wt%混合する。繊維状のフィラーは、樹脂シートP1,P2の押出方向に配向することになる。
【００５１】
本実施形態の表壁2を構成する樹脂シートP2は、例えば、ポリプロピレン樹脂＋長繊維のガラス繊維30％＋エラストマで構成したバージン材60％と、樹脂製パネル1を成形する際に発生するバリを粉砕した粉砕材40％と、で構成した材料があげられる。また、裏壁3を構成する樹脂シートP1は、例えば、樹脂製パネル1を成形する際に発生するバリを粉砕した粉砕材100％で構成した材料があげられる。
【００５２】
押出装置12から押し出した表壁2を構成する樹脂シートP2と、裏壁3を構成する樹脂シートP1と、を用いて樹脂製パネル1を成形した場合は、押出装置12から押し出した樹脂シートP1,P2のうち、約30％が成形品となり、残りの約70％がバリとなる。本実施形態では、このバリを粉砕した粉砕材を用いて樹脂シートP1、P2を作成する。樹脂シートP1、P2に含まれる繊維は、押出装置12での混練、押出、また、バリの粉砕の過程で繊維長が短くなる。このため、樹脂製パネル1を成形した際に発生するバリをリサイクル材として使用することができる。なお、表壁2を構成する樹脂シートP2と、裏壁3を構成する樹脂シートP1と、のバリを分別する必要はない。
【００５３】
押出装置12から押し出した表壁2を構成する樹脂シートP2を100とし、裏壁3を構成する樹脂シートP1を100とする。この場合、押出装置12から押し出した表壁2を構成する樹脂シートP2の100のうち70がバリとなる。また、裏壁3を構成する樹脂シートP1の100のうち70がバリとなる。このため、樹脂シートP1、P2の200のうち、60が樹脂製パネル1になり、残りの140がバリとなる。この140のバリのうち、100のバリを粉砕した粉砕材を、裏壁3を構成する樹脂シートP1に使用する。なお、樹脂シートP1を粉砕材100%で構成すれば、原料の混合は不要になるため、設備費を軽減することも可能となる。また、残りの40のバリを粉砕した粉砕材を、表壁2を構成する樹脂シートP2に使用する。樹脂シートP2の残りの60は、ポリプロピレン樹脂＋長繊維（繊維長3〜12mm）のガラス繊維30％＋エラストマで構成したバージン材を使用する。バージン材を使用することで、樹脂製パネル1を構成する樹脂が劣化することも回避することができる。このバージン材を構成するポリプロピレン樹脂は、ポリエチレン樹脂、ポリプロピレン樹脂とポリエチレン樹脂との混合樹脂を用いることも可能である。
【００５４】
また、140のバリのうち、90のバリを粉砕した粉砕材を、裏壁3を構成する樹脂シートP1に使用する。樹脂シートP1の残りの10は、ポリプロピレン樹脂＋短繊維（繊維長0.2〜0.5mm）のガラス繊維30％＋エラストマで構成したバージン材を使用する。このように、粉砕材のみを使用して樹脂シートP1を構成しない場合は、短繊維を添加することも可能である。このバージン材を構成するポリプロピレン樹脂は、ポリエチレン樹脂、ポリプロピレン樹脂とポリエチレン樹脂との混合樹脂を用いることも可能である。また、残りの50のバリを粉砕した粉砕材を、表壁2を構成する樹脂シートP2に使用する。樹脂シートP2の残りの50は、ポリプロピレン樹脂＋長繊維（繊維長3〜12mm）のガラス繊維30％＋エラストマで構成したバージン材を使用する。
【００５５】
なお、表壁2を構成する樹脂シートP2と、裏壁3を構成する樹脂シートP1と、に添加する繊維の添加量は、繊維の長短にこだわらず一定になるようにし、表壁2を構成する樹脂シートP2と、裏壁3を構成する樹脂シートP1と、で平均繊維長のみが異なるようにすることも可能である。
【００５６】
次に、吸着盤119を補強材ユニット5から脱着し、マニピュレータを２つの分割金型32の間から引き抜くと共に、表壁2を構成する樹脂シートP2をキャビティ116Aに対して押圧し、図８に示すように、樹脂シートP2をキャビティ116Aに沿った形状に賦形する。なお、本実施形態の分割金型32Aの内部にも、真空吸引室（図示せず）が設けられており、真空吸引室は、吸引穴を介してキャビティ116Aに連通し、真空吸引室から吸引穴を介して吸引することにより、樹脂シートP2をキャビティ116Aに向かって吸着させ、樹脂シートP2をキャビティ116Aの外表面に沿った形状に賦形している。
【００５７】
次に、金型駆動装置により２つの分割金型32を型締めし、図９に示すように、分割金型32Aのキャビティ116Aに吸着された樹脂シートP2に補強材ユニット5およびリブ3aを押し付け、補強材ユニット5およびリブ3aを樹脂シートP2に貼り付ける。また、２枚の樹脂シートP1,P2同士の周辺が溶着されパーティングラインPLが形成される。
【００５８】
なお、本実施形態では、分割金型32で型締めし、補強材ユニット5と樹脂シートP1,P2とが一体化した樹脂製パネル1を成形する際は、分割金型32により補強材ユニット5と樹脂シートP1,P2とを圧縮することが好ましい。これにより、補強材ユニット5と樹脂シートP1,P2との接着強度を更に向上させることができる。
【００５９】
以上の工程により、補強材ユニット5を溶融状態の樹脂シートP1,P2で挟み込んで成形した樹脂製パネル1が完成する。
【００６０】
次に、図１０に示すように、２つの分割金型32を型開きし、完成した樹脂製パネル1からキャビティ116を離間させ、パーティングラインPLの周りに形成されたバリを除去する。以上で、図１に示す樹脂製パネル1の成形が完了する。なお、バリは、樹脂製パネル1を成形する際に使用するため、バリを細かく粉砕して粉砕材を作成し、その粉砕材を樹脂シートP1,P2に使用する。このため、樹脂製パネル1を成形した際に発生するバリをリサイクル材として使用することができる。なお、表壁2を構成する樹脂シートP2と、裏壁3を構成する樹脂シートP1と、のバリを分別する必要はない。
【００６１】
＜本実施形態の樹脂製パネル1の作用・効果＞
このように、本実施形態の樹脂製パネル1を成形する場合は、まず、図２に示すように、最終的に成形される図１に示す樹脂製パネル1において、表壁2の肉厚は、裏壁3の肉厚と略同じ、または、薄肉となるように、また、表壁2が裏壁3よりも軽くなるように、表壁2を構成する第２の溶融樹脂シートP2の肉厚を、裏壁3を構成する第１の溶融樹脂シートP1の肉厚よりも薄肉にして押出装置12から押し出す。
【００６２】
次に、図６に示すように、第１の樹脂シートP1を分割金型32Bのキャビティ116Bに沿った形状に賦形し、第１の樹脂シートP1を突出部33に沿った形状に引き伸ばしてリブ3aを形成する。これにより、裏壁3を構成する第１の樹脂シートP1にリブ3aが形成される。
【００６３】
次に、図７に示すようにリブ3aが形成された第１の樹脂シートP1に補強材ユニット5を貼り付ける。
【００６４】
次に、図９に示すように、一対の分割金型32を型締めして、裏壁3を構成する第１の樹脂シートP1と、表壁2を構成する第２の樹脂シートP2と、の周縁同士を溶着すると共に、第１の樹脂シートP1に形成したリブ3aの先端を第２の樹脂シートP2に溶着する。また、補強材ユニット5を第２の樹脂シートP2に貼り付ける。これにより、図１に示す樹脂製パネル1を成形することができる。
【００６５】
本実施形態の樹脂製パネル1は、表壁2を構成する第２の樹脂シートP2は、裏壁3を構成する第１の樹脂シートP1よりも耐衝撃性の高い材料で構成し、表壁2は、裏壁3よりも耐衝撃性の高い材料で構成する。例えば、表壁2を構成する第２の樹脂シートP2は、長繊維のフィラーを含んで構成し、裏壁3を構成する第１の樹脂シートP1は、第２の樹脂シートP2に含まれる長繊維のフィラーよりも短い繊維長のフィラーを含んで構成する。
【００６６】
樹脂シートに長繊維の繊維状フィラーを含めると、耐衝撃性が向上するが成形性が低下する。また、樹脂シートに短繊維の繊維状フィラーを含めると、成形性が向上するが耐衝撃性が低下する。このため、本実施形態では、表壁2を構成する第２の樹脂シートP2は、長繊維のフィラーを含んで構成し、裏壁3を構成する第１の樹脂シートP1は、第２の樹脂シートP2に含まれる長繊維のフィラーよりも短い繊維長のフィラーを含んで構成することにしている。これにより、樹脂製パネル1の軽量化、耐衝撃性を向上させた樹脂製パネル1を得ることができる。
【００６７】
なお、上述した実施形態は、本発明の好適な実施形態であり、上記実施形態のみに本発明の範囲を限定するものではなく、本発明の要旨を逸脱しない範囲において種々の変更を施した形態での実施が可能である。
【００６８】
例えば、上述する実施形態では、図１に示す樹脂製パネル1において、表壁2の肉厚は、裏壁3の肉厚と略同じ、または、薄肉となるようにしている。しかし、表壁2と裏壁3と肉厚の関係に関わらず、表壁2は、裏壁3よりも耐衝撃性の高い材料で構成することも可能である。本実施形態では、表壁2と裏壁3とを構成する材料を各々異ならせ、表壁2は、裏壁3よりも耐衝撃性の高い材料で構成するようにしている。このため、表壁2と裏壁3とを同一材料で構成するよりも薄肉化を図り、軽量化を図ることができる。その結果、樹脂製パネルの軽量化、耐衝撃性を向上させた樹脂製パネルを得ることができる。
【００６９】
また、上述する実施形態では、表壁2は、長繊維（繊維長3〜12mm）のフィラーを含んで構成し、裏壁3は、表壁2を構成する長繊維のフィラーよりも短い繊維長のフィラーを含んで構成することで、表壁2は、裏壁3よりも耐衝撃性の高い材料で構成するようにしている。しかし、表壁2と裏壁3とに短繊維（繊維長0.2〜0.5mm）のフィラーを含ませると共に、表壁2は、裏壁3よりも短繊維（繊維長0.2〜0.5mm）のフィラーを少なく含ませて構成し、表壁2は、裏壁3よりも耐衝撃性の高い材料で構成するようにすることも可能である。例えば、表壁2は、短繊維（繊維長0.2〜0.5mm）のフィラーを10％含んで構成し、裏壁3は、短繊維（繊維長0.2〜0.5mm）のフィラーを30％含んで構成する。この場合は、表壁2の弾性力が向上するため、樹脂製パネルの軽量化、耐衝撃性を向上させた樹脂製パネルを得ることができる。また、表壁2に弾性力のある材料を用いて裏壁3よりも耐衝撃性を高くすることも可能である。弾性力のある材料としては、LLDPE（直鎖状低密度ポリエチレン）、SEBS（水添スチレン系エラストマ）、ポリエチレン系エラストマなどがあげられる。この場合も、樹脂製パネルの軽量化、耐衝撃性を向上させた樹脂製パネルを得ることができる。
【００７０】
また、上述した実施形態では、溶融状態の樹脂シートP1,P2に補強材ユニット5を貼り付けて型締めすることで樹脂製パネル1の内部に補強材ユニット5を配置することにした。しかし、樹脂製パネル1を成形した後に、樹脂製パネル1の側面から補強材ユニット5を挿入して樹脂製パネル1の内部に補強材ユニット5を配置することも可能である。但し、図１に示すように長方形状の補強材ユニット5の場合は、成形後の樹脂製パネル1の側面から挿入することも可能であるが、互いに異方向を向く複数の補強材で構成した梯子形状の補強材ユニット等の形状の場合は、上述した実施形態の成形方法のように、溶融状態の樹脂シートP1,P2に梯子形状の補強材ユニットを貼り付けて成形することが好ましい。
【００７１】
また、上述した実施形態では、図１に示すように、樹脂製パネル1の内部に補強材ユニット5を配置することにした。しかし、図１１に示すように、補強材ユニット5を配置しないようにすることも可能である。
【００７２】
図１１は、本実施形態の樹脂製パネル1の他の構成例を示す図である。（a）は、樹脂製パネル1の全体斜視図であり、裏壁3を上面にした状態を示している。（b）は、（a）に示すF-F'断面図であり、（c）は、（a）に示すE-E'断面図である。図１１に示す樹脂製パネル1は、上述した図２に示す成形装置を用いて成形することができる。
【００７３】
図１１に示す樹脂製パネル1は、表壁2と裏壁3と周囲壁4とを有して構成する。図１１に示す樹脂製パネル1は、表壁2と裏壁3とが所定の間隔をおいて対向し、表壁2と裏壁3との周囲を周囲壁4で繋いでいる。また、表壁2と裏壁3との間に中空部6を有している。図１１に示す樹脂製パネル1は、図１に示す樹脂製パネル1のように補強材ユニット5や、化粧部材7を用いずに構成している。また、裏壁3の外表面においてリブ3aの長手方向が樹脂の流れ方向Tと直交する方向Rに形成されている。また、樹脂の流れ方向Tと直交する方向Rに複数のリブ3aが離間して形成されている。また、その離間して形成された複数のリブ3aが樹脂の流れ方向Tに互い違いに交互に形成されている。この図１１に示す樹脂製パネル1も上述した図１に示す樹脂製パネル1と同様に、表壁2は、裏壁3よりも耐衝撃性の高い材料で構成することになる。
【００７４】
また、上述した実施形態では、１枚の樹脂製パネル1を例に説明した。しかし、例えば、第１の樹脂製パネルと第２の樹脂製パネルとをヒンジ部を介して連結した樹脂製パネルを構成することも可能である。
【符号の説明】
【００７５】
１    樹脂製パネル
２    表壁
３    裏壁
３ａ    リブ
３ａ１    長手部分
３ａ２    短手部分
３１    当接面
４    周囲壁
５    補強材ユニット
６    中空部
７    化粧部材
【図１】
2015051582.tif 000003
【図２】
2015051582.tif 000004
【図３】
2015051582.tif 000005
【図４】
2015051582.tif 000006
【図５】
2015051582.tif 000007
【図６】
2015051582.tif 000008
【図７】
2015051582.tif 000009
【図８】
2015051582.tif 000010
【図９】
2015051582.tif 000011
【図１０】
2015051582.tif 000012
【図１１】
2015051582.tif 000013